(57)【要約】【課題】既存の便器（便座）に使用でき、衛生的で便座に着座した時の座り姿勢を容易に維持することが出来る便座及びクッションを提供する。【解決手段】便座の内側の縁よりクッション１を小型にすることで、便座の蓋の開閉が可能な背もたれ用クッション１及び蓋の開閉や背もたれ時の衝撃を緩和する緩衝材３を取り付けた便座。既設の便座にクリップなどで簡単に取付が可能な便座の蓋の開閉が可能な背もたれ用クッション６、カバー７及び蓋の開閉や背もたれ時の衝撃を緩和する緩衝材３。　クッション１、６とカバー７、緩衝材３は簡単に取り外すことが可能な、容易に掃除、洗濯が出来ることができる請求項１及び請求項３の特徴をもった便座クッション【選択図】　　　　　　　　図１
2004057638.tif 000002
【特許請求の範囲】
【請求項１】
便座蓋に背もたれ用クッションを取り付けて便座と背もたれを一体型にし、かつ当該便座蓋の開閉が可能な背もたれ便座。
【請求項２】
便座蓋に背もたれ用クッションと緩衝材を取り付けて便座と背もたれを一体型にし、かつ当該便座蓋の開閉が可能な背もたれ便座。
【請求項３】
背もたれ用クッションと緩衝材を簡単に取り外すことができ、容易に当該クッション及び便座を掃除、洗濯ができる請求項１、請求項２の背もたれ便座。
【請求項４】
既設の便座の便座蓋に背もたれクッションを取り付けた請求項３の背もたれ便座。
【請求項５】
既設の便座の便座蓋に背もたれクッションと緩衝材を取り付けた請求項３の背もたれ便座。
【発明の詳細な説明】
【０００１】
【発明が属する技術分野】
本発明は、疾病者や高齢者等の体の不自由な者に好適なトイレに関する。
【０００２】
【従来の技術】
従来から洋式便器の背もたれとして、例えば特開２００１１６１５９４号、特開平１０１４５５４に記載されたものが知られている。
【０００３】
【発明が解決しようとする課題】
しかし、図４に示すように従来の背もたれ便座は便器と背もたれが一体化しているため、以下のような短所を有する物であった。
【０００４】
まず、経済的な面では、本体価格が高価であると共に、取り付けに改修工事が発生するため取り付け工事費用が発生し、使用者の負担が大きい。
【０００５】
また、使用者自身で簡単に取り替えることが出来ないものであった。
【０００６】
衛生面では人体に接触するクッション部分やカバーが簡単に取り外せない構造のため、クッションやカバーが汚物などにより汚れた場合でも頻繁に洗濯が行なえないものであった。
【０００７】
また、便器に背もたれを取り付ける構造のため、便座の蓋部を撤去しなくてはならず、取り付け後の便器は蓋の無い便器となり、便器上面が常に開放した状態になるため便器内に埃が溜まる弊害があり、背もたれ部と便座が分離しないため、背もたれが便所内の掃除の邪魔になる点も実用上大きな問題であった。
【０００８】
さらに、本体寸法が大きいため、特に狭いスペースの便所内では取り付けに制限があり、取り付けられたとしても残りのスペースによっては、本来果たすべき使用者をサポートする機能が十分発揮できないことが考えられると共に便所内の美観を損ねるという欠点もある。
【０００９】
この発明は、上記事情に鑑みてなされたものであり、その目的は、既存の便器や便座に取り付けが可能で、便座に着座した時の座り姿勢を容易に維持することが出来る便座を提供することにある。
【００１０】
【課題を解決するための手段】
上記目的を達成するため、請求項１の発明は、便座の蓋の内側に便座の蓋が開閉できるよう便座の内側の縁より小さい形状の背もたれ用のクッションを取り付けたことを特徴とする。
【００１１】
請求項２の発明は、便座の蓋の内側に便座の蓋が開閉できるよう便座の内側の縁より小さい形状の背もたれ用のクッションを取り付け、さらに、便座の蓋の外側に背もたれ角度調整と後方のタンクの破損を防止するための緩衝材を取り付けたことを特徴とする。
【００１２】
請求項３の発明は、請求項１、請求項２で取り付けるクッションと緩衝材が簡単に取り外しでき、毎日の清掃や洗濯が行えることを特徴とする。
【００１３】
請求項４の発明は、既設の便座に対し、当該便座蓋の内側に簡単に取り付けることの出来るクッションと治具を用い、請求項３と同等の機能を有する便座を提供することを特徴とする。
【００１４】
請求項５の発明は、既設の便座に対し、当該便座蓋の内側に簡単に取り付けることの出来るクッションと治具、既設の便座の蓋の外側に簡単に取り付けることの出来る緩衝材と治具を用い、請求項３と同等の機能を有する便座を提供することを特徴とする。
【００１５】
また、いずれにおいても便座及びクッションは、簡易に取替が可能で個人での交換が可能なものであることを特徴とする。
【００１６】
【発明の実施の形態１】
以下、この発明に係わる便座の実施の形態を図面に基づいて説明する。
【００１７】
便座は、図１に示すように、便座蓋の内側にクッション１を、例えばボルト（図示せず）によって着脱可能に取り付け、便座蓋の外側に緩衝材３を例えばボルト（図示せず）によって取り付けたものである。
【００１８】
クッション１と緩衝材３は、簡単に取り外しが可能で、図２に示すようにクッション部６とカバー部７に分割しカバーの清掃が簡単に行え、便座本体の清掃にも邪魔にならない。
【００１９】
【発明の実施の形態２】
本実施例の便座は、図３に示すように、既設便座蓋の内側にクッション１を、例えばクリップ（図示せず）によって着脱可能に取り付け、既設便座蓋の外側に緩衝材３を例えばクリップ（図示せず）によって着脱可能に取り付けたものである。
【００２０】
クッション１と緩衝材３は、簡単に取り外しが可能で、図２に示すようにクッション部６とカバー部７に分割しカバーの清掃が簡単に行え、クッション本体も取り外せるため便座本体の清掃にも邪魔にならない。
【００２１】
【発明の効果】
以上説明したように請求項１の発明によれば、便座蓋の前後にクッションが取り付いた便座を既設便器に取り付けるので、便器本体を交換することなく、安価に使用者自身が背もたれ部を設置することができ、便座に着座した時の座り姿勢を容易に維持することができる。
【００２２】
便座はクッションが取り付けられていても蓋の開閉が可能であり、便器内にほこりなどが溜まらず衛生的である。また便所内のスペースや美観を大きく損ねることもない。
【００２３】
請求項２の発明によれば、便座蓋の前後にクッションと緩衝材を取り付いた便座を既設便器に取り付けるので、便器本体を交換することなく、安価に使用者自身が背もたれ部を設置することができ、便座に着座した時の座り姿勢を容易に維持することができる。
【００２４】
便座はクッションが取り付けられていても蓋の開閉が可能であり、便器内にほこりなどが溜まらず衛生的である。また便所内のスペースや美観を大きく損ねることもない。
【００２５】
請求項３の発明によれば、請求項１、請求項２のクッションと緩衝材は簡単に取り外しが出来るため、便所や便器の掃除に邪魔にならず、クッションの個別の清掃も容易に行うことができる。
【００２６】
請求項４の発明によれば、既設便座蓋の前にクッションを取り付けるので、便器本体と便座を交換することなく、請求項１よりも、さらに安価に背もたれ部が設置でき、便座に着座した時の座り姿勢を容易に維持することができる。
【００２７】
クッションと緩衝材は簡単に取り外しが出来るため、便所や便器の掃除に邪魔にならず、クッションの個別の清掃も容易に行うことができる。
【００２８】
便座はクッションが取り付けられていても蓋の開閉が可能であり、便器内にほこりなどが溜まらず衛生的である。
【００２９】
請求項５の発明によれば、既設便座蓋の前後にクッションと緩衝材を取り付けるので、便器本体と便座を交換することなく、請求項２よりも、さらに安価に背もたれ部が設置でき、便座に着座した時の座り姿勢を容易に維持することができる。
【００３０】
クッションと緩衝材は簡単に取り外しが出来るため、便所や便器の掃除に邪魔にならず、クッションの個別の清掃も容易に行うことができる。
【００３１】
便座はクッションが取り付けられていても蓋の開閉が可能であり、便器内にほこりなどが溜まらず衛生的である。
【図面の簡単な説明】
【図１】便座カバーの構造を示した断面図である。
【図２】クッションの取り外しを示した正面図である。
【図３】便座カバークッションの構造を示した正面図である。
【図４】従来の背もたれ付便座を示した図面である。
【符号の説明】
１　　クッション
２　　便座カバー
３　　緩衝材
４　　便座カバー蓋
５　　便器（ロータンク）
６　　クッション
７　　クッションカバー
【図１】
2004057638.tif 000003
【図２】
2004057638.tif 000004
【図３】
2004057638.tif 000005
【図４】
2004057638.tif 000006